(57)【特許請求の範囲】
【請求項１】
事故状態を通報する側に設置された通報送信システムと、通報を受ける側に設置された通報受信システムとからなり、
前記通報送信システムは、
事故解析に必要なパラメータが定義されている伝送パラメータファイルと、プロセスデータの名称、単位、小数点桁数等の、各パラメータの属性を示す基本情報が定義された基本情報データベースと、前記伝送パラメータファイルに基づいて前記通報受信システムに送信するパラメータを選定する任意伝送パラメータ設定部と、事故解析に必要なプロセスデータが格納されているプラントデータデータベースと、前記任意伝送パラメータ設定部により前記基本情報データベースから選定されたパラメータについての前記基本情報を前記基本情報データベースから抽出し通報先に送信する機能および前記任意伝送パラメータ設定部で選定したパラメータのプロセスデータを前記プラントデータデータベースから抽出し通報先に送信する機能を有する基本情報送信部とを備え、
前記通報受信システムは、
前記通報送信システムの前記基本情報送信部より送信される情報を受信しプロセスデータを受信側プラントデータデータベースに格納する基本情報受信部と、前記基本情報受信部で前記基本情報を受信した場合に受信側基本情報データベースに格納されている前回の基本情報を履歴データベースに退避させる機能および受信した前記基本情報を前記受信側基本情報データベースに保存する機能を有する基本情報管理部とを備えた、
ことを特徴とするプラント情報通報装置。
【請求項２】
複数の事象について各事象に対応するパラメータをそれぞれ１つのグループとして伝送するよう前記伝送パラメータファイルを設定する伝送パラメータ設定部を前記通報送信システムに設けたことを特徴とする請求項１記載のプラント情報通報装置。
【請求項３】
前記通報送信システムの前記伝送パラメータ設定部で設定され変更された前記伝送パラメータファイルの内容を更新記憶する伝送パラメータテーブルを前記通報受信システムに設けたことを特徴とする請求項１または２記載のプラント情報通報装置。
【請求項４】
前記通報受信システムは、前記伝送パラメータテーブルに基づき前記通報送信システムから受信した重複パラメータを事象毎に展開することを特徴とする請求項３記載のプラント情報通報装置。
【請求項５】
事故事象毎にプラントデータの収集周期を記憶した収集周期テーブルを前記通報送信システム及び前記通報受信システムに設け、前記通報送信システム側から前記通報受信システム側に事故事象毎の収集周期でプラントデータを送信するとともに、前記通報受信システムでは事故事象毎の収集周期でプラントデータを保存することを特徴とする請求項２ないし請求項４のいずれか１項に記載のプラント情報通報装置。
【請求項６】
前記基本情報データベースの内容の追加、変更、削除を行う基本情報メンテナンス部を前記通報送信システムに設け、前記基本情報メンテナンス部で追加、変更、削除された前記通報送信システムの基本情報データベースの内容を更新記憶する基本情報データベースを前記通報受信システムに設けたことを特徴とする請求項１ないし５のいずれか１項に記載のプラント情報通報装置。
【請求項７】
前記基本情報データベースの内容の追加、変更、削除があった場合に、変更前と変更後の相違点を出力する変更箇所レポート出力処理部を前記通報受信システムに設けたことを特徴とする請求項６に記載のプラント情報通報装置。
【発明の詳細な説明】
【技術分野】
【０００１】
本発明は、事故状態を通報する側に設置された通報送信システムから通報を受ける側に設置された通報受信システムにプラント情報を通報するプラント情報通報装置に関する。
【背景技術】
【０００２】
プラント事故発生時にプラントの事故状態を把握するために必要なデータを伝送するプラント情報通報装置においては、事故解析に必要な伝送項目（伝送パラメータ）は、予め送信側及び受信側でその基本情報（パラメータの名称、単位等の属性情報）は同じものが定義される必要がある。
【０００３】
基本情報の定義は、常時接続されている回線においては、例えば、回線接続時の初回あるいは入力点改造があった時に、基本情報データを送信側から受信側に予め送るようにしている。また、常時接続されていない場合には、紙面でやりとりをしてパラメータの定義を同一化するようにしている。
【０００４】
ここで、プラント情報通報装置として、プラントデータベースを基本情報部と状態量とに分割して夫々を別々に送り、通常監視時には通常伝送データのみの受渡しとすることにより、通常監視時におけるデータの伝送量を減らし、伝送効率を上げることにより遠隔中央監視所においてタイムリーな情報収集を可能としたものがある（例えば、特許文献１参照）。
【特許文献１】特開平５−１６８０６１号公報
【発明の開示】
【発明が解決しようとする課題】
【０００５】
しかし、特許文献１のものでは、入力点の改造が発生した際には、全入力点の基本情報を送る仕様となっており、緊急時の通報のみに用いられるシステムや緊急時のみ稼動するようなシステムにおいては、予め前もって常に基本情報を一致させておくことが望ましい。さらに、対象となるべき基本情報の点数が多い場合には、紙面での変更も多大な労力になるため、通報の時点で通報するパラメータ分だけの基本情報を送れるようにすることが望ましい。
【０００６】
また、緊急時の通報パラメータがどのような事象であっても、ある程度固定化され絞り込めるものであれば基本情報の管理がし易いが、事故事象により通報すべきパラメータが異なる場合には管理が煩雑になる。
【０００７】
本発明の目的は、事故事象により通報すべきパラメータが異なる場合でも通報送信システムと通報受信システムとで基本情報の整合性を図ることができるプラント情報通報装置を提供することである。
【課題を解決するための手段】
【０００８】
本発明のプラント情報通報装置は、事故状態を通報する側に設置された通報送信システムと、通報を受ける側に設置された通報受信システムとからなり、前記通報送信システムは、事故解析に必要なパラメータが定義されている伝送パラメータファイルと、プロセスデータの名称、単位、小数点桁数等の、各パラメータの属性を示す基本情報が定義された基本情報データベースと、前記伝送パラメータファイルに基づいて前記通報受信システムに送信するパラメータを選定する任意伝送パラメータ設定部と、事故解析に必要なプロセスデータが格納されているプラントデータデータベースと、前記任意伝送パラメータ設定部により前記基本情報データベースから選定されたパラメータについての前記基本情報を前記基本情報データベースから抽出し通報先に送信する機能および前記任意伝送パラメータ設定部で選定したパラメータのプロセスデータを前記プラントデータデータベースから抽出し通報先に送信する機能を有する基本情報送信部とを備え、前記通報受信システムは、前記通報送信システムの前記基本情報送信部より送信される情報を受信しプロセスデータを受信側プラントデータデータベースに格納する基本情報受信部と、前記基本情報受信部で前記基本情報を受信した場合に受信側基本情報データベースに格納されている前回の基本情報を履歴データベースに退避させる機能および受信した前記基本情報を前記受信側基本情報データベースに保存する機能を有する基本情報管理部とを備えた、ことを特徴とする。
【発明の効果】
【０００９】
本発明によれば、事故事象により通報すべきパラメータが異なる場合でも通報送信システムと通報受信システムとで基本情報の整合性を図ることができる。
【発明を実施するための最良の形態】
【００１０】
図１は、本発明の実施の形態に係わるプラント情報通報装置の構成図である。プラント情報通報装置は、通報送信システム１と通報受信システム２とからなり、通報送信システム１は事故状態を通報するプラント等事業者側に設置されており、通報受信システム２は通報を受ける側に設置されている。
【００１１】
通報送信システム１は、事故解析に必要なパラメータが定義されている伝送パラメータファイル１５と、プロセスデータの名称、単位、小数点桁数等が定義された基本情報データベース１２と、送信するパラメータを選定する任意伝送パラメータ設定部１１と、事故解析に必要なプロセスデータが格納されているプラントデータデータベース１４と、任意伝送パラメータ設定部１１で選定した伝送パラメータファイル１５の内容に基づき、プラントデータデータベース１４から必要なデータを抽出し、通報受信システム２に送信する基本情報送信部１３と、複数の事象について各事象に対応するパラメータをそれぞれ１つのグループとして伝送するよう伝送パラメータファイルを設定する伝送パラメータ設定部１６と、事象毎にプラントデータを収集する収集周期が定義されている収集周期テーブル１７と、基本情報データベース１２の内容の追加、変更、削除を行う基本情報メンテナンス部１８と、基本情報メンテナンス部１８による基本情報データベースの追加、変更、削除の履歴情報を管理する基本情報履歴管理部１９と、基本情報メンテナンス部１８による基本情報データベースの追加、変更、削除の履歴情報をレビジョン番号付きで保存する基本情報履歴管理データベース２０とから構成される。
【００１２】
通報受信システム２は、通報送信システム１より送信される情報を受信する基本情報受信部２１と、受信したデータを管理する基本情報管理部２２と、基本情報管理部２２により受信したデータを保存する基本情報データベース２３と、通報送信システム１の基本情報履歴管理データベース２０の内容を保存する基本情報履歴管理データベース２４と、通報送信システム１のプラントデータデータベース１４の内容を保存するプラントデータデータベース２５と、通報送信システム１の伝送パラメータファイル１５の内容を保存する伝送パラメータテーブル２６と、通報送信システム１の収集周期テーブル１７の内容を保存する収集周期テーブル２７と、通報送信システム１の基本情報データベース１２の内容の追加、変更、削除があった場合に変更前と変更後の相違点を出力する変更箇所レポート出力処理部２８と、変更箇所レポート出力処理部２８からの出力内容を保存する変更箇所レポート２９と、各種データを表示出力する表示部３０とから構成される。
【００１３】
まず、プラントの事故時には、通報送信システム１から通報受信システム２に対して、そのときに発生した事故の状態把握に必要なパラメータを選択してデータが伝送される。ここでいうパラメータとは、例えば、プラントのプロセスデータ項目のことである。
【００１４】
ユーザーは通報送信システム１の任意伝送パラメータ設定部１１を介して通報するパラメータを選定する。任意伝送パラメータ設定部１１は選定されたパラメータに対応する基本情報を基本情報データベース１２より取得し、基本情報送信部１３に渡す。基本情報とは、パラメータの名称、単位など個々のパラメータの属性を示すものである。基本情報送信部１３は通報受信システム２に対して、基本情報の送信を予め定められたフォーマットで通知する。
【００１５】
通報受信システム２は基本情報受信部２１で通知を受信し、基本情報管理部２２に通知する。基本情報管理部２２は前回受信した基本情報である基本情報データベース２３の内容を履歴データベース２４に退避する。基本情報管理部２２は退避が完了したら基本情報受信部２１に通知する。基本情報受信部２１は通報送信システム１の基本情報送信部１３に送信可を通知する。
【００１６】
通報送信システム１の基本情報送信部１３は送信可の通知を受けて、選択されたパラメータの基本情報を通報受信システム２の基本情報受信部２１に対して送信する。基本情報受信部２１は受信した情報を基本情報管理部２２に渡し、基本情報データベース２３に格納する。
【００１７】
また、通報送信システム１の基本情報送信部１３は基本情報の送信が完了すると、選択されたパラメータに対するプロセス値をプラントデータデータベース１４から取り出し、基本情報受信部２１に周期的に送信する。
【００１８】
通報受信システム２の基本情報受信部２１は受信したデータをプラントデータデータベース２５に格納する。プロセス値と基本情報はコードあるいは伝送順序により紐付けできるようになっている。通報受信システム２側では基本情報データベース２３とプラントデータデータベース２５の内容を紐付けし、表示部３０に表示を行う。
【００１９】
周期伝送の最中に事故状態が変化した場合、通報送信システム１側で任意伝送パラメータを設定し直すことにより、基本情報の伝送から始めて一連の処理を繰り返す。このように、任意のパラメータの基本情報を任意のタイミングで伝送することにより、通報送信システムと通報受信システムとの基本情報の整合性を人間系により意識する必要はなく、かつ、通報伝送を開始してからプラントの状態が変化した場合でも柔軟に送信パラメータを変更できる。
【００２０】
図２は通報送信システム１の伝送パラメータファイル１５の説明図である。図２に示すように、伝送パラメータファイル１５には事象毎に事故解析に必要な対象点（入力点番号）の伝送順序が定義される。すなわち、伝送パラメータファイル１５は、いくつかの事象毎に伝送パラメータをグループ化できるように構成され、そのグループ化する伝送パラメータは伝送パラメータ設定部１６で設定される。
【００２１】
ユーザーは予め想定される事象（事故）毎に伝送項目をグループ化する。まず事象に名称を付け、事象毎に事故解析に必要な対象点（入力点番号）選定し、伝送順序を付ける。通報送信システム１において、伝送パラメータ設定部１６は事象の名称と伝送順序を伝送パラメータテーブル１５に保存する。
【００２２】
例えば、事象１に“通常”という名前を付け、入力点番号「A001」を伝送順位１に、「A002」を２に、「A003」を３として設定する。また、事象２には“事故１”という名前を付け、入力点番号「A001」を伝送順位１に、「A002」を２、「A003」を３、「A004」を４として設定する。
【００２３】
次に、ユーザーは任意伝送パラメータ設定部１１にて通報受信システム２に通報する事象を選択する。任意伝送パラメータ設定部１１は選択事象に設定されている伝送項目に対応する基本情報を基本情報データベース１２より抽出し、データ送信部１３に渡す。データ送信部１３はこれらの情報を通報受信システム２に伝送する。
【００２４】
これにより、１プラントあたり複数の伝送パラメータが設定できるようになり、事故事象が複数あるプラントにも対応ができる。また、周期伝送の最中に事故状態が変化した場合、通報送信システム１側で事象を選択するだけで伝送内容が変更されるため、何度も伝送パラメータを選定する必要がなくなる。
【００２５】
図３は通報受信システム２の基本情報データベース２３の説明図である。図３では、図２の伝送パラメータテーブルの事象２と事象４とが伝送項目として選択された場合の内容を示している。
【００２６】
通報送信システム１の伝送パラメータ設定部１６は、前述したように伝送パラメータテーブル１５の内容（事象毎の伝送順序）を更新する。その更新後に、任意伝送パラメータ設定部１１と基本情報送信部１３とを介して伝送パラメータテーブル１５の変更内容を通報受信システム２に送信する。通報受信システム２では、基本情報受信部２１と基本情報管理部２２とを介して、受信された変更内容を伝送パラメータテーブル２６にも反映する。
【００２７】
プラント事故が複数事象起きた場合には、ユーザーは任意伝送パラメータ設定部１１にて伝送パラメータファイル１５より事象を複数選択する。任意伝送パラメータ設定部１１は、選択されたいくつかの事象の入力点番号が重複しないように、基本情報データベース１２より基本情報を抽出し、基本情報送信部１３へ渡す。例えば、ユーザにより事象２（事故１）と事象４（事故３）とが選択された場合、任意伝送パラメータ設定部１１において抽出される基本情報（任意パラメータ番号：入力点番号）は、１「A001」、２「A002」、３「A003」、４「A004」５「A005」となる。
【００２８】
基本情報送信部１３は、通報受信システム２へ基本情報の通知を行い、通報受信システム２の基本情報履歴管理の処理と送信可の通知を受けた後に、選択事象及び基本情報を通報受信システム２の基本情報受信部２１へ送信する。基本情報受信部２１は、受信した選択事象及び基本情報を基本情報管理部２２を介して基本情報データベース２３に保存する。それ以降は前述と同様に、選択された複数の事象のパラメータに対するプロセス値のデータ送受信を周期的に行い、プロセス値をプラントデータデータベース２５に保存する。
【００２９】
これにより、事故事象が複数重なった場合において、何度も伝送パラメータを変更して送信する必要がなくなり、また、重複する基本情報やデータ値を何度も送ることなく効率的な伝送が可能となる。
【００３０】
次に、通報受信システム１で事象が複数選択され、通報受信システム２側に送信された場合、通報受信システム２に受信されたプラントデータを事象毎にグループ化して表示部３０に表示する。通報受信システム２は、伝送パラメータテーブル２６の入力点番号をキーにして、プラントデータデータベース２５よりデータ値を抽出し表示部３０に表示する。
【００３１】
例えば、選択事象が“事象２”と“事象３”の場合、まず事象２の伝送項目に注目し、選定されている伝送項目は「A001〜A004」であるので、プラントデータデータベース２５より「A001〜A004」のプロセス値を抽出し表示を行う。同様に、事象３の伝送項目に注目し、プラントデータデータベース２より「A001〜A003」プロセス値を抽出し表示を行う。
【００３２】
これにより、複数事象のデータが大量に送られてきた場合においても、それぞれの事象に関連するデータをグループ化して表示することにより、プラント状態が把握し易くなる。
【００３３】
図４は収集周期テーブル１７（２７）の説明図である。収集周期テーブル１７（２７）には事象毎にプラントデータを収集する収集周期が定義されている。収集周期テーブル１７は伝送パラメータ設定部１６にて収集周期が設定される。伝送パラメータ設定部１６にて通報送信システム１の伝送パラメータファイル１５及び収集周期テーブル１７を更新すると、通報受信システム２に変更内容が送信され、その伝送パラメータファイル１５及び収集周期テーブル１７の内容が通報受信システム２の伝送パラメータファイル２６及び収集周期テーブル２７に反映される。
【００３４】
そして、通報送信システム１の基本情報送信部１３は任意伝送パラメータ設定部１１により選定された事象をキーに、図２に示す伝送パラメータテーブル１５より選定された事象に対応する入力点番号を抽出する。次に、図４に示す収集周期テーブルより選定された事象に対応する収集周期を抽出し、プラントデータデータベース１４から事故事象に対応する入力点番号のデータを抽出し、先に選定された収集周期で通報受信システム２に伝送を行う。
【００３５】
通報受信システム２側では、伝送パラメータテーブル２６に定義された入力点番号と伝送並び順位と収集周期テーブル２１で定義された収集周期に従い、プラントデータデータベース２５にデータを保存する。
【００３６】
図５は通報受信システム２のプラントデータデータベース２５の説明図である。基本情報受信部２１でプロセスデータを受信する都度、伝送パラメータテーブル２６で定義された伝送並び順位に従い、プラントデータデータベース２５に保存する。図５（ａ）に示すように、事象１は収集周期が１分であるので１分おきのプラントデータが保存され、図５（ｂ）に示すように、事象３は収集周期が５秒であるので５秒おきのプラントデータが保存され、図５（ｃ）に示すように、事象４は収集周期が５分であるので５分おきのプラントデータが保存される。
【００３７】
収集周期は伝送パラメータ設定部１６にて事故事象毎に変更できるので、従来の固定周期では周期が荒く状態把握が困難な事象にも対応できるともに、収集周期が荒くても事故分析に支障を与えないものについては、従来の固定周期よりも長くすることによりプラントデータデータベースのサイズも小さくなることからディスクスペースの有効活用が可能となる。
【００３８】
次に、基本情報メンテナンス部１８は基本情報データベース１２の追加、変更、削除を行うものであり、基本情報メンテナンス部１８により基本情報データベース１２の追加、変更、削除が行われた場合には、基本情報履歴管理部１９は、変更前の基本情報データベース１２の内容を基本情報履歴管理データベース２０にレビジョン番号付きで保存し、その後、基本情報データベース１２に更新を行う。基本情報履歴管理部１９で更新処理が行われた基本情報データベース１２は、基本情報送信部１３を通して基本情報受信部１３に渡され、通報受信システム２の基本情報管理部２２を通して基本情報データベース２３に更新される。なお、基本情報データベース２３に更新する前に基本情報履歴管理データベース２４にレビジョン番号付きで保存を行う。
【００３９】
また、基本情報データベース１２と前回レビジョンの基本情報履歴管理データベース１２を比較し、その差分の基本情報のみを基本情報送信部１３を通して通報受信システム２側に送信する。通報受信システム２側では受信した差分の基本情報を元に基本情報データベース２３を更新し、通報送信システム１側とデータベースの整合性を図る。
【００４０】
図６は通報受信システム２の基本情報履歴管理データベース２４の説明図である。図６に示すように、履歴情報をレビジョン番号付きで、基本情報データベース２３及びプラントデータデータベース２５とセットで管理する。図６（ａ）は最新のレビジョンＲｅｖ２、図６（ｂ）は一つ前のレビジョンＲｅｖ１、図６（ｃ）はさらに一つ前のレビジョンＲｅｖ０である。
【００４１】
このように、通報送信システム１側で基本情報の変更があった場合、自動で通報受信システム２側に反映されるため、基本情報のメンテナンス性が向上する。基本情報の変更については前回との差分のみ通報受信システム２側に伝送することで通報送信システム１側との基本情報の整合性をとることが可能であるため、基本情報伝送における通信量を削減することも可能である。さらに旧基本情報とそのとき受信したプラントデータ値をセットで管理することにより、いつの時点のデータでも正しく解釈を行うことができる。
【００４２】
図７は通報受信システム２の変更箇所レポート２９の説明図である。変更箇所レポート出力処理部２８は、基本情報の変更前と変更後の基本情報の相違点を変更箇所レポート２９に出力し保存する。図７ではパラメータ番号２、３が変更となった場合を示している。
【００４３】
通報送信システム１から通報受信システム２に対して事前に基本情報が伝送されてくると、通報受信システム２の基本情報管理部２２に送られた基本情報は、変更前の基本情報と一緒に変更箇所レポート出力処理部２８に送られる。変更箇所レポート出力部２８は、変更前の基本情報と変更後の基本情報との相違点をチェックし、図７に示すように、変更箇所レポート２９として変更の有無の情報を自動的に出力する。
【００４４】
これにより、通報送信システム１にて伝送パラメータを変更した場合に、変更前と変更後の２種類の基本情報のデータを出力して比較する必要がなくなり、変更箇所レポート２９により変更点が明確になる。
【００４５】
本発明の実施の形態によれば、事故事象により通報すべきパラメータが異なる場合でも通報送信システムと通報受信システムとで基本情報の整合性を図ることができる。また、１プラントあたり複数の基本情報グループを同時に送信可能となり、受信した重複パラメータを事象毎に展開することができる。また、事故事象毎に異なるプラントデータの収集周期でプラントデータデータベースに保存できる。さらに、基本情報の変更管理を自動でかつ基本情報を履歴管理でき、いつの時点のデータでも正しく解釈できる。また、基本情報の変更があった場合に、変更前と変更後の相違点を自動的にレポートできる。
【図面の簡単な説明】
【００４６】
【図１】本発明の実施の形態に係わるプラント情報通報装置の構成図。
【図２】本発明の実施の形態における通報送信システムの伝送パラメータファイルの説明図。
【図３】本発明の実施の形態における通報受信システムの基本情報データベースの説明図。
【図４】本発明の実施の形態における通報送信システム及び通報受信システムの収集周期テーブルの説明図。
【図５】本発明の実施の形態における通報受信システムのプラントデータデータベースの説明図。
【図６】本発明の実施の形態における通報受信システムの基本情報履歴管理データベースの説明図。
【図７】本発明の実施の形態における通報受信システ２の変更箇所レポートの説明図。
【符号の説明】
【００４７】
１…通報送信システム、２…通報受信システム、１１…任意伝送パラメータ設定部、１２…基本情報データベース、１３…基本情報送信部、１４…プラントデータデータベース、１５…伝送パラメータファイル、１６…伝送パラメータ設定部、１７…収集周期テーブル、１８…基本情報メンテナンス部、１９…基本情報履歴管理部、２０…基本情報履歴管理データベース、２１…基本情報受信部、２２…基本情報管理部、２３…基本情報データベース、２４…基本情報履歴管理データベース、２５…プラントデータデータベース、２６…伝送パラメータテーブル、２７…収集周期テーブル、２８…変更箇所レポート出力処理部、２９…変更箇所レポート、３０…表示部
【図１】
0004966133.tif 000002
【図２】
0004966133.tif 000003
【図３】
0004966133.tif 000004
【図４】
0004966133.tif 000005
【図５】
0004966133.tif 000006
【図６】
0004966133.tif 000007
【図７】
0004966133.tif 000008